【手続補正書】
【提出日】平成18年11月17日(2006.11.17)
【手続補正１】
【補正対象書類名】明細書
【補正対象項目名】特許請求の範囲
【補正方法】変更
【補正の内容】
【特許請求の範囲】
【請求項１】  画像処理装置の利用状況を管理する情報処理装置であって、
前記画像処理装置の利用状況を示す利用履歴情報を管理する管理手段と、
前記管理手段が管理する利用履歴情報に含まれる利用者を示す画像処理装置利用者識別情報を登録する登録手段と、
前記登録手段が画像処理装置利用者識別情報を登録するのに応答して、入力された利用量制限値を取得する第一取得手段と、
前記第一取得手段が取得した利用量制限値を前記画像処理装置利用者が前記画像処理装置を可能な利用量制限値として設定する設定手段と、
を含むことを特徴とする情報処理装置。
【請求項２】  ネットワークシステムに登録されているシステム利用者を管理する外部情報処理装置からシステム利用者情報を取得する第二取得手段と、
前記第二取得手段が取得したシステム利用者情報からシステム利用者識別情報を抽出し、前記管理手段が管理する利用履歴情報から、画像処理装置利用者を示す情報である画像処理装置利用者識別情報を抽出する抽出手段と、
前記抽出手段が抽出したシステム利用者識別情報と、画像処理装置利用者識別情報が一致するか否かを判断する判断手段とをさらに含み、
前記抽出手段が抽出したシステム利用者識別情報と、画像処理装置利用者識別情報が一致すると前記判断手段が判断した場合は、前記設定手段は、前記第二取得手段が取得した利用量制限値を前記画像処理装置利用者の利用量制限値として設定することを特徴とする請求項１に記載の情報処理装置。
【請求項３】  前記抽出手段が抽出したシステム利用者識別情報と、画像処理装置利用者識別情報が一致すると前記判断手段が判断した場合は、前記設定手段は、前記第一取得手段が取得した利用量制限値を前記画像処理装置利用者の利用量制限値として設定し、一致しないと前記判断手段が判断した場合は、前記設定手段は、前記画像処理装置利用者識別情報の利用者に対して画像処理装置の利用をさせないよう前記情報処理装置を設定することを特徴とする請求項２に記載の情報処理装置。
【請求項４】  ネットワークシステムに登録されているシステム利用者を管理する外部情報処理装置から前記システム利用者情報が属するグループであるシステムグループを示す情報を取得する第二取得手段と、
前記第二取得手段が取得した情報に基づき、前記管理手段が管理する利用履歴情報の管理対象となるグループと、前記システムグループが一致するか否かを判定する判定手段とをさらに備え、
前記判定手段が、利用履歴情報の管理対象となるグループと、前記システムグループが一致すると判断した場合には、前記画像処理装置利用者を、前記利用履歴情報の管理対象となるグループに属する新規利用者として前記登録手段が登録することを特徴とする請求項１乃至３のいずれかに記載の情報処理装置。
【請求項５】  前記登録手段が登録した新規利用者を、前記利用履歴情報の管理対象となるグループに属し、かつ、前記グループの新規なユーザであることを識別可能に表示部に表示する処理を制御する第一表示制御手段をさらに備えることを特徴とする請求項３又は４に記載の情報処理装置。
【請求項６】  前記判定手段が、利用履歴情報の管理対象となるグループと、前記システム利用者が属するシステムグループが一致しないと判断した場合には、前記管理手段は、前記画像処理装置利用者を、所属グループが不明な画像処理装置利用者として識別可能に表示する処理を制御する第二表示制御手段を備えることを特徴とする請求項３乃至５のいずれか記載の情報処理装置。
【請求項７】  画像処理装置の利用状況を管理する情報処理方法であって、
前記画像処理装置の利用状況示す利用履歴情報を管理する管理ステップと、
前記管理ステップで管理する利用履歴情報の管理対象となる利用者を示す画像処理装置利用者識別情報を登録する登録ステップと、
前記登録ステップにて画像処理装置利用者識別情報が登録されるのに応答して、入力された利用量制限値を取得する第一取得ステップと、
前記第一取得ステップで取得した利用量制限値を前記画像処理装置利用者の利用量制限値として設定する設定ステップと、
を含むことを特徴とする情報処理方法。
【請求項８】  ネットワークシステムに登録されているシステム利用者情報を取得する第二取得ステップと、
前記第二取得ステップで取得したシステム利用者情報からシステム利用者識別情報を抽出し、前記管理ステップで管理する利用履歴情報から、画像処理装置利用者を示す情報である画像処理装置利用者識別情報を抽出する抽出ステップと、
前記抽出ステップで抽出したシステム利用者識別情報と、画像処理装置利用者識別情報が一致するか否かを判断する判断ステップとをさらに含み、
前記抽出ステップで抽出したシステム利用者識別情報と、画像処理装置利用者識別情報が一致すると前記判断ステップで判断された場合は、前記設定ステップでは、前記第二取得ステップで取得した利用量制限値を前記画像処理装置利用者の利用量制限値として設定することを特徴とする請求項７に記載の情報処理方法。
【請求項９】  前記抽出ステップで抽出したシステム利用者識別情報と、画像処理装置利用者識別情報が一致すると前記判断ステップで判断した場合は、前記設定ステップは、前記第一取得ステップで取得した利用量制限値を前記画像処理装置利用者の利用量制限値として設定し、一致しないと前記判断ステップで判断した場合は、前記設定ステップは、前記画像処理装置利用者識別情報の利用者に対して画像処理装置の利用をさせないよう前記情報処理装置を設定することを特徴とする請求項８に記載の情報処理方法。
【請求項１０】  ネットワークシステムに登録されているシステム利用者を管理する外部情報処理装置から前記システム利用者情報が属するグループであるシステムグループを示す情報を取得する第二取得ステップと、
前記第二取得ステップで取得した情報に基づき、前記管理ステップで管理する利用履歴情報の管理対象となるグループと、前記システムグループが一致するか否かを判定する判定ステップとをさらに備え、
前記判定ステップで、利用履歴情報の管理対象となるグループと、前記システムグループが一致すると判断された場合には、前記画像処理装置利用者を、前記利用履歴情報の管理対象となるグループに属する新規利用者として前記登録ステップで登録することを特徴とする請求項６乃至９のいずれかに記載の情報処理方法。
【請求項１１】  前記登録ステップで登録した新規利用者を、前記利用履歴情報の管理対象となるグループに属し、かつ、前記グループの新規なユーザであることを識別可能に表示部に表示する処理を制御する第一表示制御ステップをさらに備えることを特徴とする請求項９又は１０に記載の情報処理方法。
【請求項１２】  前記判定ステップで、利用履歴情報の管理対象となるグループと、前記システム利用者が属するシステムグループが一致しないと判断した場合には、前記管理ステップは、前記画像処理装置利用者を、所属グループが不明な画像処理装置利用者として識別可能に表示する処理を制御する第二表示制御ステップを備えることを特徴とする請求項９乃至１１のいずれか記載の情報処理方法。
【請求項１３】  画像処理装置の利用状況を管理する情報処理を実行する制御プログラムであって、
前記画像処理装置の利用状況示す利用履歴情報を管理する管理ステップと、
前記管理ステップで管理する利用履歴情報の管理対象となる利用者を示す画像処理装置利用者識別情報を登録する登録ステップと、
前記登録ステップにて画像処理装置利用者識別情報が登録されるのに応答して、入力された利用量制限値を取得する第一取得ステップと、
前記第一取得ステップで取得した利用量制限値を前記画像処理装置利用者の利用量制限値として設定する設定ステップと、
をコンピュータに実行させることを特徴とする制御プログラム。